(57)【要約】【課題】ペットボトル等の飲料ボトルを使用してコストを大幅に低減することができ家庭用としても最適な飲料サーバーを提供する。【解決手段】複数の飲料ボトル１０を収納するための冷却室２と、冷却室の下面部に設けられ、口部を下方に向けた低温飲料供給用の飲料ボトルの当該口部と接続するための低温飲料用接続部と、冷却室の下面部に設けられ、口部を下方に向けた高温飲料供給用の飲料ボトルの当該口部と接続するための高温飲料用接続部４１と、低温飲料用接続部に接続され、低温飲料を注出するための低温飲料注出コックと、高温飲料用接続部に接続され、飲料ボトルから供給された飲料を加熱した状態で貯留する高温タンク６と、高温タンクに接続され、高温タンク内の飲料を注出するための高温飲料注出コック５１とを有し、冷却室は、低温飲料用接続部と高温飲料用接続部の合計数よりも多くの飲料ボトルを収納可能なものである。【選択図】図１
2006225012.tif 000002
【特許請求の範囲】
【請求項１】
複数の飲料ボトル（１０）を収納して冷却するための冷却室（２）と、
前記冷却室（２）の下面部に設けられ、口部（１１）を下方に向けた低温飲料供給用の前記飲料ボトル（１０）の当該口部（１１）と接続するための低温飲料用接続部（４２）と、
前記冷却室（２）の下面部に設けられ、口部（１１）を下方に向けた高温飲料供給用の前記飲料ボトル（１０）の当該口部（１１）と接続するための高温飲料用接続部（４１）と、
前記低温飲料用接続部（４２）に接続され、低温飲料を注出するための低温飲料注出コック（５２）と、
前記高温飲料用接続部（４１）に接続され、前記飲料ボトル（１０）から供給された飲料を加熱した状態で貯留する高温タンク（６）と、
前記高温タンク（６）に接続され、前記高温タンク（６）内の飲料を注出するための高温飲料注出コック（５１）とを有し、
前記冷却室（２）は、前記低温飲料用接続部（４２）と前記高温飲料用接続部（４１）の合計数よりも多くの前記飲料ボトル（１０）を収納可能なものである飲料サーバー。
【請求項２】
請求項１に記載した飲料サーバーであって、
前記低温飲料用接続部（４２）は、前記飲料ボトル（１０）から供給される飲料を貯留する貯留部を備え、前記貯留部に貯留された飲料の水位を一定に保つように飲料の供給を制限するものであり、
前記高温飲料用接続部（４１）は、前記飲料ボトル（１０）から供給される飲料を貯留する貯留部を備え、前記貯留部に貯留された飲料の水位を一定に保つように飲料の供給を制限するものである飲料サーバー。
【請求項３】
請求項２に記載した飲料サーバーであって、
前記飲料ボトル（１０）の前記口部（１１）に、開閉弁付きの接続用キャップ（１３）を装着して前記低温飲料用接続部（４２）および前記高温飲料用接続部（４１）に接続するものである飲料サーバー。
【請求項４】
請求項２に記載した飲料サーバーであって、
前記低温飲料用接続部（４２）および前記高温飲料用接続部（４１）は、前記飲料ボトル（１０）の前記口部（１１）に装着されたキャップ（１４）に飲料流出用の孔を形成するための接続突部（４１５）を備えたものである飲料サーバー。
【請求項５】
請求項１〜４のいずれか１項に記載した飲料サーバーであって、
前記冷却室（２）には、複数の前記低温飲料用接続部（４２）および複数の前記高温飲料用接続部（４１）が設けられている飲料サーバー。
【請求項６】
請求項１に記載した飲料サーバーであって、
前記低温飲料用接続部および前記高温飲料用接続部（４１ｄ）に接続された前記飲料ボトル（１０）の上方の底部に空気流入用の孔を形成するための穿孔部（８）を有する飲料サーバー。
【請求項７】
請求項６に記載した飲料サーバーであって、
前記飲料ボトル（１０）の前記口部（１１）に、開閉弁付きの接続用キャップ（１３ｄ）を装着して前記低温飲料用接続部および前記高温飲料用接続部（４１ｄ）に接続するものであり、
前記接続用キャップ（１３ｄ）と前記低温飲料用接続部との間、および、前記接続用キャップ（１３ｄ）と前記高温飲料用接続部（４１ｄ）との間は、水密状態に封止されている飲料サーバー。
【発明の詳細な説明】
【技術分野】
【０００１】
この発明は、飲料水等の飲料を冷却および加熱して貯留し、それらの飲料を注出する飲料サーバーに関するものであり、さらに詳しくは、一般消費者向けに販売されているペットボトル等の飲料容器を使用して安価に提供でき家庭用としても最適な飲料サーバーに関するものである。
【背景技術】
【０００２】
ミネラルウォーター等の飲料水を冷却して冷水としたものと、加熱して温水としたものを注出可能な飲料サーバーは公知である。これらの冷水と温水とは、通常、飲料サーバー内の冷水タンクおよび温水タンクに貯留されている。この場合、温水の温度は高温（例えば、８０℃程度）のため、細菌が繁殖することはないが、飲料容器内、冷水タンク内および冷水タンクに接続された配管内等には比較的細菌が繁殖しやすい環境となってしまう。
【０００３】
そのため、下記の特許文献１に記載されたような技術が公知である。特許文献１には、ＢＩＢ（バッグ・イン・ボックス）タイプの飲料容器を使用し、飲料を冷却する低温タンクと飲料を加熱する高温タンクを有する飲料サーバーにおいて、定期的に低温タンク内の飲料を加熱殺菌するようにした飲料サーバーが記載されている。
【０００４】
ＢＩＢとは、紙製の箱内に柔軟樹脂からなる袋状容器が配置されたものである。ＢＩＢ容器では、工場において十分に除菌・殺菌された飲料がＢＩＢ容器に充填され、内部が密封状態に保たれて最終消費地まで運搬される。このため、最終消費地に到達するまでＢＩＢ容器内の飲料に細菌等が侵入することがない。このようなＢＩＢ容器に充填されたミネラル水等の飲料を使用する飲料サーバーも広く利用されている。
【特許文献１】特開２００４−３１５０４９号公報
【発明の開示】
【発明が解決しようとする課題】
【０００５】
従来の飲料サーバーは、前述のように温水側には比較的問題が少ないが、冷水側のタンクおよび供給路には、細菌が発生しやすいという問題点があり、特に冷水側のタンクおよび供給路の除菌処理等を頻繁に行う必要があった。このため、メインテナンスに時間とコストがかかり、飲料サーバーのランニングコストの上昇を招いていた。また、メインテナンスを怠ると飲用に適さない飲料が注出されてしまうおそれもあった。
【０００６】
特許文献１の技術は、このような除菌処理等を効率的に行うものであるが、そのための殺菌用加熱器等の設備により幾分かのコスト上昇は避けられず、また、業務用のＢＩＢ容器から飲料水等を供給するものであるため、コストや設置スペースの観点から、家庭用の飲料サーバーとしては適するものではなかった。
【０００７】
そこで、本発明は、一般消費者向けに販売されているペットボトル等の飲料容器を使用してコストを大幅に低減することができ家庭用としても最適な飲料サーバーを提供することを目的とする。
【課題を解決するための手段】
【０００８】
上記目的を達成するために、本発明の飲料サーバーは、複数の飲料ボトルを収納して冷却するための冷却室と、前記冷却室の下面部に設けられ、口部を下方に向けた低温飲料供給用の前記飲料ボトルの当該口部と接続するための低温飲料用接続部と、前記冷却室の下面部に設けられ、口部を下方に向けた高温飲料供給用の前記飲料ボトルの当該口部と接続するための高温飲料用接続部と、前記低温飲料用接続部に接続され、低温飲料を注出するための低温飲料注出コックと、前記高温飲料用接続部に接続され、前記飲料ボトルから供給された飲料を加熱した状態で貯留する高温タンクと、前記高温タンクに接続され、前記高温タンク内の飲料を注出するための高温飲料注出コックとを有し、前記冷却室は、前記低温飲料用接続部と前記高温飲料用接続部の合計数よりも多くの前記飲料ボトルを収納可能なものである。
【０００９】
また、上記の飲料サーバーにおいて、前記低温飲料用接続部は、前記飲料ボトルから供給される飲料を貯留する貯留部を備え、前記貯留部に貯留された飲料の水位を一定に保つように飲料の供給を制限するものとし、前記高温飲料用接続部は、前記飲料ボトルから供給される飲料を貯留する貯留部を備え、前記貯留部に貯留された飲料の水位を一定に保つように飲料の供給を制限するものとすることができる。
【００１０】
また、上記の飲料サーバーにおいて、前記飲料ボトルの前記口部に、開閉弁付きの接続用キャップを装着して前記低温飲料用接続部および前記高温飲料用接続部に接続するものとすることができる。
【００１１】
また、上記の飲料サーバーにおいて、前記低温飲料用接続部および前記高温飲料用接続部は、前記飲料ボトルの前記口部に装着されたキャップに飲料流出用の孔を形成するための接続突部を備えたものとすることができる。
【００１２】
また、上記の飲料サーバーにおいて、前記冷却室には、複数の前記低温飲料用接続部および複数の前記高温飲料用接続部を設けることもできる。
【００１３】
また、上記の飲料サーバーにおいて、前記低温飲料用接続部および前記高温飲料用接続部に接続された前記飲料ボトルの上方の底部に空気流入用の孔を形成するための穿孔部を有するものとすることができる。
【００１４】
また、上記の飲料サーバーにおいて、前記飲料ボトルの前記口部に、開閉弁付きの接続用キャップを装着して前記低温飲料用接続部および前記高温飲料用接続部に接続するものであり、前記接続用キャップと前記低温飲料用接続部との間、および、前記接続用キャップと前記高温飲料用接続部との間は、水密状態に封止されていることが好ましい。
【発明の効果】
【００１５】
本発明は、以上のように構成されているので、以下のような効果を奏する。
【００１６】
冷却室に交換用の予備の飲料ボトルを収納可能な予備スペースを設けたので、飲料ボトル交換後でも冷却飲料を即座に適温状態で注出することができる。また、冷却飲料用の飲料ボトルと注出コックは最短経路で接続されており、飲料の流通も円滑に行われるため、細菌等の発生を大幅に減少させることができる。また、飲料ボトルを直接飲料サーバーの接続部に接続するようにしたので、外部から細菌等が流路内に侵入する可能性を大幅に減少させることができる。さらに、冷水は加熱殺菌しないので、天然水の風味が損なわれることがない。
【００１７】
接続部が飲料の貯留部を備え、貯留部の飲料の水位を一定に保つので、飲料の適量供給が自動的に行われる。
【００１８】
飲料ボトルに開閉弁付きの接続用キャップを装着して接続部に接続するようにしたものでは、飲料ボトルの接続部への挿入が容易であり、また、接続用キャップの繰り返し再利用も可能である。また、一般的に販売されている通常の飲料ボトルが使用できるので、飲料のコストも低減することができる。
【００１９】
キャップに飲料流出用の孔を形成するための接続突部を接続部に有するものでは、専用の接続用キャップに交換する作業を省き、簡単に飲料ボトルの交換作業を行うことができる。キャップに穿孔補助用の溝が形成してあれば、飲料ボトル交換時の穿孔作業も容易に行うことができる。
【００２０】
複数の接続部を並列に配置したものでは、低温飲料および高温飲料をそれぞれ複数の飲料ボトルから供給することができ、供給容量を増大して、飲料ボトルの交換頻度を低減させることができる。このため、事務所等の事務所等の注出量の多い場所での飲料サーバーとして適している。
【００２１】
飲料ボトルの底部に空気流入用の孔を形成するための穿孔部を有するものでは、密封式の接続部によって外部から細菌等が流路内に侵入する可能性をさらに減少させることができる。また、飲料ボトルからの飲料の流出も円滑に行うことができる。
【００２２】
開閉弁付きの接続用キャップを使用するものでは、接続用キャップと接続部との間を水密状態に封止することができ、外部から細菌等が流路内に侵入する可能性をさらに減少させることができる。
【発明を実施するための最良の形態】
【００２３】
本発明の実施の形態について図面を参照して説明する。ここでは飲料としては、ミネラルウォーター等の温水、冷水、および冷茶等を注出するサーバーを例にとって説明する。図１および図２は、本発明の飲料サーバー１の全体構成を示す断面図である。図１は飲料サーバー１を右側面方向から見た断面図であり、図２は飲料サーバー１を上から見た冷却室２部分の断面図である。
【００２４】
飲料サーバー１の上部には、複数の飲料ボトル１０を収納する冷却室２が配置されている。飲料ボトル１０としては、ポリ・エチレン・テレフタレート（ＰＥＴ）等の樹脂材料からなる一般用のペットボトル等を使用する。ボトル容量は２リットル程度のものが適当である。ただし、飲料ボトルはペットボトル等に限定されることはなく、他の材料からなる任意のボトルが使用可能である。
【００２５】
飲料ボトル１０の上部には、ボトル本体に比較して細口の口部１１が形成されており、その口部１１にはねじ込み式のキャップ１２が螺合により取り付けられている。口部１１とキャップ１２とは、ボトル内部の飲料が口部１１から漏れ出ることのないように密封状態となるように螺合接続されている。飲料ボトル１０は、工場において十分に除菌・殺菌された飲料がボトルに充填され、内部が密封状態に保たれて最終消費地まで運搬される。このため、最終消費地に到達するまで飲料ボトル１０内の飲料に細菌等が侵入することはない。
【００２６】
冷却室２の周囲の壁面２２および前面の扉２１は、内部に断熱材が充填されている。扉２１は、左側端部を中心に回動して前方に開くように取り付けられている。開いた状態の扉２１は、図２の二点鎖線で示されている。この扉２１を開いて、冷却室２内部の飲料ボトル１０を交換することができる。扉２１を閉じた状態では、冷却室２の内部と外部とは熱的に遮断される。冷却室２の天井部に配置された冷却器７１によって冷却室２の内部空間が冷却され、飲料ボトル１０ごとその内部の飲料を冷却する。飲料は、冷水としての適温（例えば、１０℃以下）まで冷却される。
【００２７】
冷却室２の下面部には、飲料ボトル１０を接続するための接続部４１，４２，４３（図２参照）が設けられている。接続部４１は温水用のミネラルウォーター等を供給するためのものであり、接続部４２は冷水用のミネラルウォーター等を供給するためのものであり、接続部４３は冷却したお茶等を供給するためのものである。この接続部は、必ずしも３個設ける必要はなく、温水用、冷水用の２個だけでもよい。
【００２８】
飲料ボトル１０は倒立され、その口部１１側を下方として接続部４１，４２，４３に接続される。飲料ボトル１０は、販売時に装着されている通常のキャップ１２を、この飲料ボトル１０専用の弁付キャップ１３（図３参照）に交換して、接続部４１，４２，４３に接続する。弁付キャップ１３の詳しい説明は後述する。
【００２９】
飲料ボトル１０の交換は次のようにして行う。すなわち、冷却室２の扉２１を開いて、接続部４１，４２，４３のいずれかに接続され空になった飲料ボトル１０を冷却室２から取り出し、新しい飲料ボトル１０を冷却室２後部の予備スペースに収納する。そして、予め冷却室２後部の予備スペースに収納していた予備の飲料ボトル１０に弁付キャップ１３を装着し、倒立させて接続部４１，４２，４３のいずれかに接続する。そして扉２１を閉じる。
【００３０】
図２に示すように、冷却室２の内部後面側には、交換用の予備の飲料ボトル１０を収納するための予備スペースが設けられている。予備スペースは接続部４１，４２，４３より後面側に設けられている。予備スペースに収納された予備の飲料ボトル１０は、冷却室２内で冷却されているので、飲料ボトル１０の交換後すぐに適温に冷却された飲料を供給することができる。
【００３１】
飲料サーバー１の前面側には、注出コック５１，５２，５３が配置されている。注出コック５１，５２，５３は、それぞれが接続部４１，４２，４３に対応しており冷水用、温水用、冷茶用となっている。温水用の接続部４１は配管６２によって温水タンク６に接続されており、飲料ボトル１０内の飲料が接続部４１を介して温水タンク６に供給される。温水タンク６は、加熱して高温とした飲料（温水）を貯留するためのものであり、飲料サーバー１の本体下部３の内部に配置されている。
【００３２】
温水タンク６には加熱ヒータ６１が設けられており、温水タンク６内の飲料は加熱ヒータ６１によって加熱され、ほぼ一定の高温（例えば、８０〜８５℃）に保たれている。このため温水タンク６内の飲料は完全に殺菌されて無菌状態となっている。温水タンク６の上部には温水用配管６３を介して注出コック５１が接続されている。注出コック５１のレバーを操作して開状態とすると、高温の温水が注出コック５１から注出される。注出コック５１から温水が注出されると、同量の飲料水が飲料ボトル１０から温水タンク６内に導入される。このように、温水タンク６内は常に満水状態となっている。
【００３３】
冷水用の注出コック５２は冷水用の接続部４２に直接接続（図６参照）されている。同様に、冷茶用の注出コック５３は冷茶用の接続部４３に直接接続されている。注出コック５２のレバーを操作して開状態とすると、冷却室２で適温に冷却された飲料ボトル１０内の冷水が注出コック５２から注出される。このように、本発明の飲料サーバー１では冷水を貯留するための冷水用タンクが不要であり、飲料ボトル１０内の冷却された飲料が冷水として直接注出コック５２から注出される。また、冷茶用の注出コック５３も同様である。
【００３４】
飲料サーバー１の本体下部３の最下部前面には、受け部３１が設けられている。注出コック５１，５２，５２から注出した飲料がこぼれた場合でも、飲料は受け部３１に落ちる。また、受け部３１にコップ等の飲料容器を載置して、注出コック５１，５２，５２から飲料を注出することができる。
【００３５】
また、飲料サーバー１の本体下部３の内部には、コンプレッサー７が配置されている。冷媒は、コンプレッサー７によって圧縮されて背面側の放熱器７２に送られ、放熱器７２で冷却され液化されてさらに冷却室２内の冷却器７１に送られる。冷却器７１において気化して冷却室２を冷却した後の冷媒は、再びコンプレッサー７に循環される。
【００３６】
図３は、弁付キャップ１３の構成を示す断面図である。飲料ボトル１０の販売時に装着されている通常のキャップ１２はボトル交換時に取り外されて、この飲料サーバー１専用の弁付キャップ１３に交換される。そして、弁付キャップ１３を装着された飲料ボトル１０が、接続部４１，４２，４３に接続される。
【００３７】
弁付キャップ１３の上部には、飲料を注出するための注出口１３１が形成されている。注出口１３１の内部には、ガイド１３２が設けられており、ガイド１３２によって上下方向に移動可能に移動部材１３３が支持されている。移動部材１３３の下端には弁体１３４が固定されており、弁付キャップ１３内部の弁座部１３５とともに開閉弁を構成している。移動部材１３３は付勢部材であるばね１３６によって上方に付勢されており、弁体１３４と弁座部１３５とからなる開閉弁は閉状態となっている。また、弁付キャップ１３の内部にはパッキン１３７が配置されており、飲料ボトル１０の口部１１先端と弁付キャップ１３の間を封止している。
【００３８】
弁付キャップ１３を装着された飲料ボトル１０は、図４に示すように倒立されて口部１１を下方に向けられる。そして、弁付キャップ１３を接続部４１の上面から挿入し、飲料ボトル１０を飲料サーバー１に接続する。弁付キャップ１３の移動部材１３３はばね１３６によって付勢されており、弁体１３４と弁座部１３５とからなる開閉弁は閉状態となっているので、飲料ボトル１０を倒立させても内部の飲料が漏れ出ることはない。
【００３９】
接続部４１の内部には載置板４１１が垂直方向に形成されており、載置板４１１に形成された段部に注出口１３１の先端が当接して、飲料ボトル１０が載置される。このとき、接続部４１の内部に形成された突起部４１２が移動部材１３３に当接し、移動部材１３３を相対移動させて開閉弁を開放状態とする。図５に、飲料ボトル１０と温水用の接続部４１とが接続した状態を示す。
【００４０】
接続部４１に載置されて接続された飲料ボトル１０は、弁付キャップ１３の開閉弁が開放されるので、内部の飲料が注出口１３１から注出することになる。接続部４１の内部は飲料を貯留する貯留部となっており、注出口１３１から注出された飲料は、この貯留部から流出口４１３、配管６２を介して温水タンク６に供給される。接続部４１内部の載置板４１１は垂直方向に形成されているので、飲料の流通を妨げることはない。
【００４１】
貯留部内の飲料の水位が注出口１３１の先端部より上昇すると、注出口１３１から飲料ボトル１０内に空気が入らなくなるため、注出口１３１からの飲料の注出が停止される。貯留部内の飲料が温水タンク６に供給され、飲料の水位が注出口１３１の先端部より下降すると、再び注出口１３１から飲料が注出されるようになる。このように、接続部４１は貯留部内の飲料の水位をほぼ一定に保つ機能を有している。飲料ボトル１０内の飲料は、貯留部内の水位を一定に保つように自動的に注出される。
【００４２】
図６は、飲料ボトル１０と冷水用の接続部４２の接続状態を示す図である。冷水用の接続部４２の構造は、接続部４１とほぼ同様である。ただ、接続部４２下部の流出管４２３には、直接、冷水用の注出コック５２が接続されている。接続部４２内の貯留部には適温に冷却された飲料が貯留されており、その飲料が注出コック５２から直接注出されるのである。接続部４２も、接続部４１と同様に、貯留部内の飲料の水位をほぼ一定に保つ機能を有している。冷茶用の接続部４３の構成は接続部４２と全く同じである。
【００４３】
図７は、他の形態の接続部４１ａの構成を示す断面図である。図は、飲料ボトル１０が接続された状態の温水用の接続部４１ａを示している。接続部４１ａの内部は飲料の貯留部となっており、横方向にはり状部４１４が張り渡されている。はり状部４１４の中央位置には接続突部４１５が固定されている。図８（ａ）に、はり状部４１４および接続突部４１５の拡大断面図を示す。図８（ａ）は、はり状部４１４および接続突部４１５を上方向から見た断面図である。
【００４４】
はり状部４１４は、図８（ａ）に示すように十字形に設けられている。接続突部４１５は中央部が飲料の流出路となる管状の部材であり、はり状部４１４の中央に垂直方向に固定（または一体成形）されている。接続突部４１５の上方先端部は、図７に示すように尖鋭に形成されており、この尖鋭な先端部により飲料ボトル１０に装着されているキャップ１４の中央部を突き破って飲料ボトル１０を接続する。キャップ１４の先端（下端）がはり状部４１４に当接して、飲料ボトル１０がはり状部４１４の上に載置される。飲料は接続突部４１５内の流出路を通って接続部４１ａの内部に流出する。
【００４５】
はり状部４１４と接続突部４１５との連結部近傍には、図８（ａ）に示すように凸条部４１６が形成されている。凸条部４１６は接続突部４１５の軸方向に沿って形成されており、接続突部４１５の先端部では突出量が小さく下端部で突出量が大きくなるようにテーパー状に形成されている。凸条部４１６の外方端は、キャップ１４の中央部に形成された孔の内面と当接し、接続突部４１５の外周面とキャップ１４の孔の内面との間に間隙を設ける。この間隙を通って飲料ボトル１０に空気が流入する。そして、飲料ボトル１０内の飲料が接続突部４１５の流出路から流出する。
【００４６】
接続突部４１５には、図７、図８（ａ）に示すように軸方向に長いスリット４１７が形成されている。スリット４１７は、接続突部４１５の内側と外側を貫通するように形成されている。飲料ボトル１０内の飲料は、スリット４１７を通って接続突部４１５内の流出路に流れ込むこともできるので、飲料ボトル１０内に残留することなく全ての飲料が外部に流出する。
【００４７】
飲料ボトル１０の販売時に装着されているキャップ１４は、図８（ｂ）に示すように、キャップ１４の閉塞面に円形の溝１４１が形成されたものであることが好ましい。この溝１４１により、接続突部４１５での孔の形成が容易になる。なお、溝１４１はキャップ１４の内面側に形成されていてもよい。ただし、キャップ１４としては、図８（ｂ）のような溝付きのキャップに限定されず、図３に示すキャップ１２のような、通常の形態のものでもよい。
【００４８】
この接続部４１ａも貯留部内の飲料の水位をほぼ一定に保つ機能を有している。貯留部内の飲料の水位がキャップ１４の先端部より上昇すると、キャップ１４に形成された孔から飲料ボトル１０内に空気が入らなくなるため、接続突部４１５からの飲料の流出が停止される。貯留部内の飲料が温水タンク６に供給され、飲料の水位がキャップ１４の先端部より下降すると、再び接続突部４１５から飲料が流出されるようになる。飲料ボトル１０内の飲料は、貯留部内の水位を一定に保つように自動的に流出される。
【００４９】
なお、ここでは温水用の接続部４１ａについて構造を説明したが、冷水用、冷茶用の接続部も、内部の構造は接続部４１ａと同様にすることができる。図７の形態の接続部は、飲料ボトル１０の販売時に装着されているキャップ１４を、専用の弁付キャップ等に交換することなく、そのまま接続部に挿入して接続することができる。このため、飲料ボトル１０の交換作業が簡単になる。
【００５０】
図９は、接続部の配置変形例を示す図である。図１、図２に示す配置では、温水、冷水、冷茶ともに飲料ボトル１０が１本ずつ接続されているが、図９に示すように、飲料ボトル１０を２本ずつ並列に接続することができる。図９（ａ）は温水用の接続部を示し、図９（ｂ）は冷水用の接続部を示す。温水用としては接続部４１ｂ，４１ｃが図示のように並列に設けられ、飲料ボトル１０が２本並列に接続される。飲料は２本の飲料ボトル１０からほぼ均等に流出し、配管６２を介して温水タンク６に供給される。
【００５１】
冷水用としては接続部４２ｂ，４２ｃが図示のように並列に設けられ、飲料ボトル１０が２本並列に接続される。飲料は２本の飲料ボトル１０からほぼ均等に流出し、冷水用の注出コック５２に供給される。このように、温水、冷水ともに２本の飲料ボトル１０が接続されているため、１回の交換で注出可能な容量が２倍になり、交換回数を減少させることができる。このため、事務所等の注出量の多い場所での飲料サーバーとして適している。
【００５２】
図１０は、図９のように接続部を並列配置した飲料サーバーの例を示す図である。図１０は飲料サーバーの冷却室２の部分を上から見た断面図である。注出コックは、温水用の注出コック５１と冷水用の注出コック５２のみが設けられている。冷却室２の下面部には、温水用の接続部４１ｂ，４１ｃが並列に配置され、冷水用の接続部４２ｂ，４２ｃも並列に配置されている。それぞれの接続部に飲料ボトル１０が接続されている。
【００５３】
冷水用の接続部４２ｂ，４２ｃの右側は、交換用の予備の飲料ボトル１０を収納するための予備スペースとされている。予備スペースに２本の飲料ボトル１０を収納できる。予備スペースに収納した２本の予備の飲料ボトル１０は、冷水用の飲料ボトル１０として交換される。温水用の飲料ボトル１０は予め冷却しておく必要はないので、予備の飲料ボトル１０は冷水用の２本で十分である。
【００５４】
飲料ボトル１０の交換は、並列接続された２本が同時に空になるので、２本ずつ交換することになる。温水用の飲料ボトル１０を交換する場合には、常温で保存されている新しい飲料ボトル１０を温水用の接続部４１ｂ，４１ｃに接続する。冷水用の飲料ボトル１０を交換する場合には、予備スペースに収納されている２本の予備の飲料ボトル１０を冷水用の接続部４２ｂ，４２ｃに接続する。予備の飲料ボトル１０は予め冷却されているので、即座に適温の冷水を注出することができる。
【００５５】
なお、冷却室２のその他の構成は図２に示したものと同様であるので、説明は省略する。なお、図１０では温水用と冷水用の２種類の注出コックを設けたものを示したが、それに加えて冷茶用の注出コックを設けるようにしてもよい。冷茶用の注出コックを設けた場合には、予備スペースとして４本の飲料ボトル１０を収納可能な広さを確保することが好ましい。
【００５６】
図１１は、本発明の他の形態の飲料サーバー１ｄの全体構成を示す断面図である。図１に示す実施の形態とは、接続部の構成が異なっている。そして、飲料サーバー１ｄでは、接続部に接続された飲料ボトル１０の底部に孔を開けるための穿孔部８が冷却室２内に設けられている。飲料サーバー１ｄのその他の構成は図１に示す飲料サーバー１と同じであるから説明は省略する。
【００５７】
図１２は、温水用の接続部４１ｄの構成を示す拡大断面図である。図は飲料ボトル１０を温水用の接続部４１ｄに接続した状態を示す。この接続部４１ｄにおいても、飲料ボトル１０の販売時に装着されているキャップ１２を、この飲料ボトル１０専用の弁付キャップ１３ｄに交換してから、接続部４１ｄに飲料ボトル１０を接続する。
【００５８】
弁付キャップ１３ｄの構成は、図３に示す弁付キャップ１３とほぼ同様であるが、注出口１３１の形状が異なっており、またＯリング１３８が追加されている。弁付キャップ１３ｄの移動部材１３３、弁体１３４からなる開閉弁の構成は弁付キャップ１３とほぼ同様である。弁付キャップ１３ｄの注出口１３１を接続部４１ｄに挿入すると、接続部４１ｄの内部に形成された突起部４１２ｄが移動部材１３３に当接し、移動部材１３３を相対移動させて開閉弁を開放状態とする。
【００５９】
注出口１３１にはＯリング１３８が設けられており、注出口１３１の外面と接続部４１ｄの内面の間を水密状態に封止している。すなわち、接続部４１ｄは密封式となっている。このため、飲料が接続部４１ｄから漏れ出ることはない。接続部４１ｄには、飲料の貯留部がなく、したがって当然貯留部内の飲料の水位を一定に保つ機能もない。飲料ボトル１０から流出した飲料は、そのまま配管６２を介して温水タンク６に供給される。なお、ここでは温水用の接続部４１ｄについて構造を説明したが、冷水用、冷茶用の接続部も、内部の構造は接続部４１ｄと同様である。
【００６０】
注出口１３１と接続部４１ｄの間はＯリング１３８によって封止されているので、注出口１３１から空気が流入することもなく、このままでは飲料ボトル１０から飲料が流出することもない。そこで、飲料サーバー１ｄでは、飲料ボトル１０の底部に空気流入用の孔を開けるための穿孔部８が冷却室２内に設けられている。穿孔部８の前端側を下方に押圧することにより、接続部４１ｄに接続した飲料ボトル１０の底部に簡単に孔を開けることができる。
【００６１】
飲料ボトル１０の底部に空気流入用の孔を開けることにより、飲料ボトル１０からの飲料の流出が円滑に行われる。なお、穿孔部８による孔開け作業は、飲料ボトル１０の交換直後に行う。この穿孔部８は温水用の接続部４１ｄの上方だけでなく、冷水用、冷茶用の全ての接続部の上方に設けられている。
【００６２】
図１３は、穿孔部８の構成を示す拡大図である。穿孔部８として、腕部材８１が支軸８２を中心として揺動可能に飲料サーバー１ｄの固定部に支持されている。腕部材８１は通常は水平状態を保つようにばね等により付勢されている。腕部材８１の前方側（図１３の左側）を手で下方に押圧することにより、腕部材８１を下方に揺動させることができる。下方に揺動した状態の穿孔部８は、符号８ａで示すように二点鎖線で表示されている。
【００６３】
腕部材８１の前端近傍には穿孔具８３が設けられており、腕部材８１を下方に揺動させて飲料ボトル１０の底部に空気流入用の孔を開けることができる。また、穿孔具８３の先端は尖鋭に形成されているため、危険防止のために柔軟材料からなる保護カバー８４が設けられている。
【００６４】
以上のように、本発明によれば、冷却室内に交換用の予備の飲料ボトル１０を収納する予備スペースを設けているため、冷水、冷茶等の冷却飲料を飲料ボトル１０交換後でも即座に適温状態で注出することが可能である。また、冷却飲料用の飲料ボトル１０と注出コックは最短経路で接続されており、飲料の流通も円滑に行われるため、細菌等の発生を大幅に減少させることができる。また、飲料ボトル１０を直接飲料サーバーの接続部に接続するようにしたので、外部から細菌等が流路内に侵入する可能性を大幅に減少させることができる。
【００６５】
また、飲料サーバーの構成が簡素であるため、飲料サーバーのコストを低減させることができ、家庭用の飲料サーバーとしても最適である。さらに、一般に販売されている飲料ボトルを使用可能であるため、ランニングコストすなわち飲料自体のコストも低減させることができる。
【００６６】
なお、以上の実施の形態では、飲料としてミネラルウォーター等の飲料水や冷茶を例に挙げて説明したが、それ以外の任意の飲料にも適用することができる。
【産業上の利用可能性】
【００６７】
本発明によれば、常に衛生的な飲料水を注出可能かつ安価な飲料サーバーを提供することができる。また、飲料ボトル交換後でも冷却飲料を即座に適温状態で注出することが可能である。
【図面の簡単な説明】
【００６８】
【図１】本発明の飲料サーバー１の全体構成を示す断面図である。
【図２】飲料サーバー１を上から見た冷却室２部分の断面図である。
【図３】弁付キャップ１３の構成を示す断面図である。
【図４】飲料ボトル１０と温水用の接続部４１の接続過程を示す図である。
【図５】飲料ボトル１０と温水用の接続部４１の接続状態を示す図である。
【図６】飲料ボトル１０と冷水用の接続部４２の接続状態を示す図である。
【図７】他の形態の接続部４１ａの構成を示す断面図である。
【図８】はり状部４１４、接続突部４１５およびキャップ１４の拡大断面図である。
【図９】接続部の配置変形例を示す図である。
【図１０】接続部を並列配置した飲料サーバーの例を示す図である。
【図１１】他の形態の飲料サーバー１ｄの全体構成を示す断面図である。
【図１２】接続部４１ｄの構成を示す拡大断面図である。
【図１３】穿孔部８の構成を示す拡大図である。
【符号の説明】
【００６９】
１，１ｄ  飲料サーバー
２  冷却室
３  本体下部
６  温水タンク
７  コンプレッサー
８  穿孔部
１０  飲料ボトル
１１  口部
１２，１４  キャップ
１３，１３ｄ  弁付キャップ
２１  扉
２２  壁面
３１  受け部
４１，４２，４３  接続部
５１，５２，５３  注出コック
５２  直接注出コック
６１  加熱ヒータ
６２  配管
６３  温水用配管
７１  冷却器
７２  放熱器
８１  腕部材
８２  支軸
８３  穿孔具
８４  保護カバー
１３１  注出口
１３２  ガイド
１３３  移動部材
１３４  弁体
１３５  弁座部
１３６  ばね
１３７  パッキン
１３８  Ｏリング
１４１  溝
４１１  載置板
４１２  突起部
４１３  流出口
４１４  はり状部
４１５  接続突部
４１６  凸条部
４１７  スリット
４２３  流出管
【図１】
2006225012.tif 000003
【図２】
2006225012.tif 000004
【図３】
2006225012.tif 000005
【図４】
2006225012.tif 000006
【図５】
2006225012.tif 000007
【図６】
2006225012.tif 000008
【図７】
2006225012.tif 000009
【図８】
2006225012.tif 000010
【図９】
2006225012.tif 000011
【図１０】
2006225012.tif 000012
【図１１】
2006225012.tif 000013
【図１２】
2006225012.tif 000014
【図１３】
2006225012.tif 000015